(57)【要約】【課題】  光電素子を用いた非接触型センサが天井側に配置された蛍光灯等の外部光源からの光によって誤作動することを防止することができ、これによって遊技者の意図しない所定のパチンコ遊技の誤動作を防止すること。【解決手段】  発振回路３３からのパルス信号Ｐ１に応じて発光素子３１で発光を行い、この発光に応じて発光光４１を放射する。ここで、非接触型センサ３０の前方に手１９がかざされると、この手１９で発光光４１が反射されるので、この反射光４２を受光素子３２で受光する。この受光で反射光４２と同じ周波数のパルス信号Ｐ２を周波数一致検出回路３４へ出力し、周波数一致検出回路３４で、パルス信号Ｐ１とＰ２の周波数が一致するか否かを判定し、この判定が一致の際に一致検出信号４３をスイッチング回路３５へ出力してオン状態とし、オン信号４４が出力されるようにする。【選択図】      図１
2005185365.tif 000002
【特許請求の範囲】
【請求項１】
発光素子から発光した光が、この光の放射方向にかざされた光の反射手段で反射された際に、この反射光を受光素子で受光することによりスイッチング動作を行うパチンコ機搭載用の非接触型センサにおいて、
パチンコ機外部に配置された外部光源の光の周波数と異なる周波数の第１のパルス信号を発振し、この第１のパルス信号を前記発光素子の励起用の信号として出力する発振手段と、
前記受光素子が受光時に出力する当該受光時の光と同じ周波数の第２のパルス信号と、前記発振手段から発信される第１のパルス信号との双方の周波数の一致を検出する検出手段とを備え、
前記検出手段で一致が検出された際に前記スイッチング動作を行う
ことを特徴とするパチンコ機搭載用の非接触型センサ。
【請求項２】
前記受光素子で前記外部光源の光の受光時に得られるパルス信号の振幅値よりも高く、且つ、前記反射光の受光時に得られるパルス信号の振幅値よりも低く設定された振幅基準電圧と、前記受光素子からのパルス信号とを比較し、前記振幅基準電圧を越えたパルス信号の振幅部分を前記第２のパルス信号として、前記検出手段へ出力する振幅比較手段
を更に備えたことを特徴とする請求項１に記載のパチンコ機搭載用の非接触型センサ。
【発明の詳細な説明】
【技術分野】
【０００１】
本発明は、遊技盤の前面に配設されるパチンコ機搭載用の非接触型センサに関し、特に当該非接触型センサに手をかざすことによりスイッチング動作を行い、この動作によって画面に表示動作中の図柄を停止させるためのパチンコ機搭載用の非接触型センサに関する。
【背景技術】
【０００２】
従来からパチンコ機においては、遊技に変化を持たせるために遊技者がスイッチを操作する構成が採られている。例えば遊技盤において遊技者が操作し易い位置に配設された接触型のタッチセンサや、光電素子を用いた非接触型センサがある。これらのセンサは、一般的に遊技盤の画面に表示動作中の図柄を停止させる目的で設けられている。
タッチセンサは、遊技者が当該センサを手で直接触れたことを検知するものであり、この検知によって動作中の図柄が停止するようになっている。
【０００３】
非接触型センサは、当該センサの前方を遊技者が手をかざすことによって、上記同様に動作中の図柄を停止させるためのものであり、例えば図３に示すように取り付けられている。即ち、パチンコ機の遊技盤１１の前面左隅の領域に、非接触型センサを取り付けるためのベース１３が配設され、このベース１３に非接触型センサ１５が固定されている。
この非接触型センサ１５は、図４に示す遊技盤１１の非接触型センサ１５部分の断面図に破線矢印で示すように、発光素子１５ａから光を発光して外部へ放射しており、この放射光が手１９で反射されると、この反射光を受光素子１５ｂで受光することによってスイッチング動作（スイッチオン）するようになっている。このスイッチング動作によって、図柄の動作が停止する。
【０００４】
この種の従来のパチンコ機として、例えば特許文献１に記載のものがある。
【特許文献１】特願２００２−３２８７６３号公報
【発明の開示】
【発明が解決しようとする課題】
【０００５】
ところで、従来のパチンコ機においては、パチンコ店に遊技盤１１を設置する際に、図５に示すように、遊技盤１１の盤面１１ａを、水平な床面に垂直な垂直線２１に対して所定角度θ＝約５度で交わるように傾け、この斜め上向きに傾けることによって盤面１１ａを球が流下するように設置される。
しかし、このように盤面１１ａが斜め上向きとなるように設置されると、盤面１１ａに固定された非接触型センサ１５の発光／受光面１５ｄも同様に斜め上向きとなるので、天井２２に固定（又は天井２２側に配設）されている蛍光灯２３からの破線矢印で示す光が、発光／受光面１５ｄに受光状態となりやすい角度で入射される。このため、非接触型センサ１５が蛍光灯２３の光を受光し易くなって誤作動するという問題がある。
【０００６】
また、図柄が動作中の場合に、遊技者が手をかざしていないにも関らず非接触型センサ１５が上記のように誤作動すると、遊技者の意図に反して動作中の図柄が停止してしまうなど、所定のパチンコ遊技の誤動作が生じる問題がある。
本発明は、このような課題に鑑みてなされたものであり、光電素子を用いた非接触型センサが天井側に配置された蛍光灯等の外部光源からの光によって誤作動することを防止することができ、これによって遊技者の意図しない所定のパチンコ遊技の誤動作を防止することができるパチンコ機を提供することを目的としている。
【課題を解決するための手段】
【０００７】
上記目的を達成するために、本発明の請求項１によるパチンコ機搭載用の非接触型センサは、発光素子から発光した光が、この光の放射方向にかざされた光の反射手段で反射された際に、この反射光を受光素子で受光することによりスイッチング動作を行うパチンコ機搭載用の非接触型センサにおいて、パチンコ機外部に配置された外部光源の光の周波数と異なる周波数の第１のパルス信号を発振し、この第１のパルス信号を前記発光素子の励起用の信号として出力する発振手段と、前記受光素子が受光時に出力する当該受光時の光と同じ周波数の第２のパルス信号と、前記発振手段から発信される第１のパルス信号との双方の周波数の一致を検出する検出手段とを備え、前記検出手段で一致が検出された際に前記スイッチング動作を行うことを特徴としている。
【０００８】
この構成によれば、第１のパルス信号と同周波数の発光光が反射手段で反射され、この反射光が受光された際に得られる第２のパルス信号のみが、第１のパルス信号の周波数と一致してスイッチング動作するようにしたので、反射光以外の周波数の光が受光されてもスイッチング動作は行われない。従って、非接触型センサが外部光源の光を受光しても誤作動が生じないので、従来のような非接触型センサの誤作動による遊技者の意図に反した図柄動作の停止など、パチンコ遊技の誤動作を防止することができる。
【０００９】
また、本発明の請求項２によるパチンコ機搭載用の非接触型センサは、請求項１において、前記受光素子で前記外部光源の光の受光時に得られるパルス信号の振幅値よりも高く、且つ、前記反射光の受光時に得られるパルス信号の振幅値よりも低く設定された振幅基準電圧と、前記受光素子からのパルス信号とを比較し、前記振幅基準電圧を越えたパルス信号の振幅部分を前記第２のパルス信号として、前記検出手段へ出力する振幅比較手段を更に備えたことを特徴としている。
【００１０】
この構成によれば、受光素子での受光時に得られるパルス信号の振幅値が振幅基準電圧より高い場合、即ち反射光の光が受光された場合のみ、周波数一致検出を行って、この結果が一致であればスイッチング動作を行うようにしたので、請求項１の構成よりも更に精度良く非接触型センサの誤作動を防止することができる。
【発明の効果】
【００１１】
以上説明したように本発明によれば、光電素子を用いた非接触型センサが天井側に配置された蛍光灯等の外部光源からの光によって誤作動することを防止することができ、これによって遊技者の意図しない所定のパチンコ遊技の誤動作を防止することができるという効果がある。
【発明を実施するための最良の形態】
【００１２】
以下、本発明の実施の形態を、図面を参照して説明する。但し、本明細書中の全図において相互に対応する部分には同一符号を付し、重複部分においては後述での説明を適時省略する。
（第１の実施の形態）
図１は、本発明の第１の実施の形態に係るパチンコ機搭載用の非接触型センサの構成を示すブロック図である。
図１に示す非接触型センサ３０は、従来例で図３を参照して説明したように遊技盤１１の前面に配設されるものであり、発光ダイオード等の発光素子３１と、フォトトランジスタやフォトダイオード等の受光素子３２と、発振回路（発振手段）３３と、周波数一致検出回路（検出手段）３４と、スイッチング回路３５とを備えて構成されている。
【００１３】
発振回路３３は、蛍光灯等の外部光源から放射される光の周波数と異なる周波数（例えば約３ＫＨｚ）のパルス信号Ｐ１を発振するものである。因みに蛍光灯の周波数は、一般的に、東／西日本においては、それらの商用周波数である５０Ｈｚ／６０Ｈｚの約２倍の周波数であり、この他の例えばインバータ蛍光灯では約９０ＫＨｚとなっている。
発光素子３１は、パルス信号Ｐ１の供給に応じて発光し、この発光光４１を放射するものである。パルス信号Ｐ１は、約３ＫＨｚで「Ｌ」と「Ｈ」レベルを繰り返しているので、発光素子３１は、例えば「Ｈ」レベルの供給時に励起され、この励起時に発光する。従って、発光光４１は、パルス信号Ｐ１と同一周波数で点滅する光となる。
【００１４】
受光素子３２は、非接触型センサ３０の前方にかざされた手（反射手段）１９で発光光４１が反射した反射光４２を受光し、この受光された反射光４２と同じ周波数のパルス信号Ｐ２を出力するものである。但し、反射手段は、手１９以外に光を反射する物体であればどのような物でもよい。また、受光素子３２は、反射手段がかざされていない状態で、外部光源からの光が受光されると、この光と同じ周波数のパルス信号Ｐ２を出力する。
【００１５】
周波数一致検出回路３４は、双方のパルス信号Ｐ１とＰ２の周波数が一致するか否かを判定し、この結果、一致する場合に一致検出信号４３を出力するものである。
スイッチング回路３５は、一致検出信号４３が入力された場合のみにオンとなってこのオン信号４４を出力するものである。即ち、信号無入力状態の通常時はオフとなっている。
【００１６】
このような構成の非接触型センサ３０の動作を説明する。
発振回路３３から出力されるパルス信号Ｐ１に応じて発光素子３１で発光が行われ、この発光に応じて発光光４１が放射される。ここで、非接触型センサ３０の前方に手１９がかざされると、この手１９で発光光４１が反射され、この反射光４２が受光素子３２で受光される。この受光によって反射光４２と同じ周波数のパルス信号Ｐ２が周波数一致検出回路３４へ出力される。
【００１７】
この出力によって周波数一致検出回路３４で、パルス信号Ｐ１とＰ２の周波数が一致するか否かが判定される。この場合、発光光４１の反射光４２なので一致と判定され、一致検出信号４３がスイッチング回路３５へ出力され、これによってスイッチング回路３５が、オンとなってオン信号４４が出力される。そして、このオン信号４４によって従来例で説明したように、画面に表示動作中の図柄が停止される。つまり、非接触型センサ３０に手１９をかざすことによって、画面に表示動作中の図柄が停止される。
【００１８】
一方、非接触型センサ３０に何も反射手段がかざされていない状態において、受光素子３２で、蛍光灯からの光が受光されたとする。この場合、受光素子３２から周波数一致検出回路３４へ出力されるパルス信号Ｐ２は、蛍光灯の光と同じ周波数となるので、周波数一致検出回路３４におけるパルス信号Ｐ１との一致判定結果は、不一致となる。従って、周波数一致検出回路３４は信号無出力状態となるので、スイッチング回路３５もオフ状態のままとなって、図柄も動作中のままとなる。
【００１９】
このように、第１の実施の形態の非接触型センサ３０によれば、蛍光灯等の外部光源の光の周波数と異なる周波数の発光光４１を放射し、この発光光４１が手１９で反射された反射光４２のみが受光された際に、スイッチオンとなるようにしたので、反射光４２以外の周波数の光が受光された際はスイッチオンとならない。
これによって、非接触型センサ３０が外部光源の光を受光しても誤作動が生じないので、従来のような非接触型センサの誤作動による遊技者の意図に反した図柄動作の停止など、パチンコ遊技の誤動作を防止することができる。
【００２０】
（第２の実施の形態）
図２は、本発明の第２の実施の形態に係るパチンコ機搭載用の非接触型センサの構成を示すブロック図である。
図２に示す第２の実施の形態の非接触型センサ５０が、第１の実施の形態の非接触型センサ３０と異なる点は、受光素子３２と周波数一致検出回路３４との間に、振幅コンパレータ（振幅比較手段）５１を接続したことにある。
振幅コンパレータ５１は、受光素子３２から出力されるパルス信号Ｐ２と、予め設定された直流電圧の振幅基準電圧Ｖ１との双方の振幅値を比較し、振幅基準電圧Ｖ１を越えたパルス信号Ｐ２の振幅部分をパルス信号Ｐ３として、周波数一致検出回路３４へ出力するものである。
【００２１】
非接触型センサ５０はパチンコ機前面の透過性パネルの内側に配設されるので、遊技者が手１９をかざす際は、通常、非接触型センサ５０の前方部分の透過性パネルにタッチする状態で行われる。この際、手１９と非接触型センサ５０との間は数十ｍｍと極近傍の距離であるため、発光光４１が手１９で反射した反射光４２は、受光素子３２での受光時に、蛍光灯等の遠くからの外部光源の光よりも輝度が高くなる。
【００２２】
このことから、振幅基準電圧Ｖ１は、外部光源の光が受光によってパルス信号Ｐ２に変換された際の振幅値（電圧値）よりも高く、且つ、反射光４２の受光時のパルス信号Ｐ２の振幅値よりも低く設定してある。この設定によって、反射光４２の受光時にのみ振幅コンパレータ５１からパルス信号Ｐ３が出力されるようになされている。
このような構成の非接触型センサ５０の動作を説明する。
【００２３】
非接触型センサ５０の前方に手１９がかざされると、この手１９で発光光４１が反射され、この反射光４２が受光素子３２で受光される。この受光によって反射光４２と同じ周波数のパルス信号Ｐ２が振幅コンパレータ５１へ出力される。
振幅コンパレータ５１では、そのパルス信号Ｐ２と、予め設定された直流電圧の振幅基準電圧Ｖ１との双方の振幅が比較される。ここでは、パルス信号Ｐ２が反射光４２を受光した際に得られた信号なので、その振幅が振幅基準電圧Ｖ１を越える。従って、振幅コンパレータ５１からは、その振幅基準電圧Ｖ１を越えた振幅部分がパルス信号Ｐ３として、周波数一致検出回路３４へ出力される。
【００２４】
この出力によって周波数一致検出回路３４で、パルス信号Ｐ１とＰ３の周波数が一致するか否かが判定される。この場合、パルス信号Ｐ３は、発光光４１の反射光４２なので一致と判定され、一致検出信号４３がスイッチング回路３５へ出力される。これによってスイッチング回路３５が、オンとなってオン信号４４が出力され、このオン信号４４によって従来例で説明したように、画面に表示動作中の図柄が停止される。つまり、非接触型センサ５０に手１９をかざすことによって、画面に表示動作中の図柄が停止される。
【００２５】
一方、非接触型センサ５０に何も反射手段がかざされていない状態において、受光素子３２で蛍光灯からの光が受光された場合、この際に得られるパルス信号Ｐ２の振幅値は、振幅基準電圧Ｖ１よりも低いので、振幅コンパレータ５１がパルス信号Ｐ３を出力しない信号無出力状態となる。これによって、周波数一致検出回路３４におけるパルス信号Ｐ１との一致判定結果は不一致となり、周波数一致検出回路３４は信号無出力状態となるので、スイッチング回路３５もオフ状態のままとなって、図柄も動作中のままとなる。
【００２６】
このように、第２の実施の形態の非接触型センサ５０によれば、第１の実施の形態の非接触型センサ３０の構成に、更に、受光素子３２での受光時に得られるパルス信号Ｐ２の振幅値が振幅基準電圧Ｖ１より高い場合、即ち反射光４２の光が受光された場合のみ、周波数一致検出を行って、この結果が一致であればスイッチング動作を行うようにした。
言い換えれば、受光素子３２での受光時に得られるパルス信号Ｐ２の振幅値が振幅基準電圧Ｖ１より低い場合、即ち外部光源の光が受光された場合は、周波数一致検出回路３４が信号無出力状態で、スイッチング回路３５もオフ状態となるようにした。
これによって、第１の実施の形態の構成よりも更に精度良く非接触型センサ５０の誤作動を防止することができる。
【図面の簡単な説明】
【００２７】
【図１】本発明の第１の実施の形態に係るパチンコ機搭載用の非接触型センサの構成を示すブロック図である。
【図２】本発明の第２の実施の形態に係るパチンコ機搭載用の非接触型センサの構成を示すブロック図である。
【図３】パチンコ機の遊技盤における非接触型センサの取り付け位置を示す正面図である。
【図４】従来の遊技盤における非接触型センサ部分の断面図である。
【図５】従来のパチンコ機を設置した際の非接触型センサの発光／受光面が向く方向を示す側面図である。
【符号の説明】
【００２８】
１１  遊技盤
１１ａ  盤面
１３  ベース
１５，３０，５０  非接触型センサ
１５ａ，３１  発光素子
１５ｂ，３２  受光素子
１５ｄ  発光／受光面
１９  手
２１  垂直線
２２  天井
２３  蛍光灯
３３  発振回路
３４  周波数一致検出回路
３５  スイッチング回路
５１  振幅コンパレータ
４１  発光光
４２  反射光
４３  一致検出信号
４４  オン信号
Ｐ１，Ｐ２，Ｐ３  パルス信号
Ｖ１  振幅基準電圧
【図１】
2005185365.tif 000003
【図２】
2005185365.tif 000004
【図３】
2005185365.tif 000005
【図４】
2005185365.tif 000006
【図５】
2005185365.tif 000007